(57)【要約】【課題】本発明の目的は、駅構内で情報サービスを提供するにあたり、サービス利用者の要求する情報を利用者の位置に応じて提供するシステムを実現することにある。【解決手段】駅構内をメッシュ分割し、位置ごとにＩＤを振り分け、端末ＤＢ  ０１３２１を参照することで、利用者の使用している端末位置ＩＤを取得することで利用者の位置を取得し、各ＩＤ間を移動するのに要する時間情報を格納した構内位置ＤＢ  ０１３２２を参照することで、「現在位置から何分以内」といった要求に合う構内領域を利用者の位置に応じて検出し、その領域に関する情報を提供することにより、位置に応じた情報配信を行う。【選択図】  図１
2004246748.tif 000002
【特許請求の範囲】
【請求項１】
駅構内において利用者に対し、駅構内に配置された情報端末を用いて利用者へ利用者の要求する店舗情報を配信する際、利用者の位置、利用時刻、利用者の保有する乗車券に応じて配信対象店舗を決定するシステムであって、
利用者の保有する乗車券から列車出発路線、出発時間、座席位置の情報を読み取る手段を備える乗車券読取装置と、利用者の要求を取得する手段を備える情報入力装置と、利用者への情報表示手段を備える情報提示装置と、利用時刻を取得する手段を備える時間管理装置からなる情報端末装置と、駅構内を網羅的にメッシュ分割し、位置ＩＤを振り分け、位置ＩＤ間の移動時間データを格納している構内位置ＤＢと、上記情報端末を特定する端末ＩＤと、その配置位置を示す位置ＩＤデータを格納している端末ＤＢと、路線と座席位置に対応したホームの位置ＩＤデータを格納している路線ＤＢと、構内の店舗に関し、店名、店の位置ＩＤ、営業時間、業種データを格納している店舗ＤＢと店舗の構内地図、詳細情報を格納している店舗詳細ＤＢからなるＤＢ格納部と、乗車券情報、利用時刻より乗車予定列車の待合時間を算出し、左記時間内で現在地から店舗所在地への移動、及び目的地から乗車するための位置まで移動可能で、且つ要求された所要時間内である領域を構内位置ＤＢ，端末位置ＤＢ，路線ＤＢを参照のうえ、取得する検索範囲取得手段と店舗情報ＤＢを参照し、検索領域内で、利用時間が営業時間内であるかを判別し、配信対象となる店舗を決定する店舗情報取得手段をもつ配信サーバ処理部からなる中央装置から構成されていることを特徴とするシステム。
【請求項２】
請求項１の検索範囲取得手段において、駅構内に振り分けられた位置ＩＤ間の移動時間を保有し、現在位置を示す位置ＩＤから、移動対象となる位置を示す位置ＩＤまでの移動時間が、利用者の要求する移動時間内であるかを判定し、移動時間内であれば上記位置を利用者要求の検索対象範囲とし、同様の処理をすべての位置に対して行うことで、利用者要求の検索対象範囲を算出し、
検索対象範囲内の位置を示す位置ＩＤから乗車券より取得した乗車場所を示す位置ＩＤまでの移動時間が、乗車列車の待合時間から上記現在位置から検索対象の位置までの移動時間を差分した時間内であるかを判定し、移動時間内であれば上記位置を検索対象範囲とし、同様の処理を検索対象範囲内のすべての位置に対して行うことで、検索対象範囲を算出することを特徴としたシステム。
【請求項３】
請求項１の利用者への情報提示手段において、配信対象の店舗までの所要時間、並びに店舗への滞在可能な時間、並びに店舗からホーム乗車口までの所要時間を表示することを特徴としたシステム。
【請求項４】
請求項１の利用者への情報提示手段において、配信対象店舗の詳細、並びに地図表示を行うことを特徴としたシステム。
【発明の詳細な説明】
【０００１】
【発明の属する技術分野】
本発明は、ＩＣカード等の記憶媒体を利用した電子交通チケット及び、位置、時間に応じた個人への情報提供システムに関するものであり、駅構内における、情報配信を利用者位置に応じて提供する機能を有するシステムである。
【０００２】
【従来の技術】
駅構内における情報サービスにおいては案内板や電光掲示板を用いた駅利用者全体に対する情報を提供するだけでなく、キオスク端末、モバイル端末を用いて個人の要求に対する情報提供を行うことも可能としている。個人に対応した情報サービスには、店舗探索サービスやナビゲーション、乗車予定列車の発車時刻通知等がある。これらのサービスは駅構内地図情報、ダイヤ情報を利用し、利用者の要求に応じるものである。この種の技術を示す文献として例えば特開２００１−１３８９１７号がある。
【０００３】
【特許文献１】特開２００１−１３８９１７号公報
【０００４】
【発明が解決しようとする課題】
現段階では、上記サービスを利用者へと提供するにあたっては、利用者の位置を取得していないため、利用者の要求に対する配信内容は駅のどの場所においても同様なものとなっている。例えば、店舗探索サービスにおいて喫茶店を探索した際、現在位置から移動時間１分の喫茶店も、移動時間１０分の喫茶店も同等な価値を持つ検索結果として提供される。また、発車時刻通知においてはホーム付近にて情報配信を受けるときも、ホームから遠く離れた場所にて情報配信を受けるときも同様の内容の発車時刻通知を受ける。ここで、利用者の位置情報を取得していれば、移動時間１分の喫茶店を第一候補として提示し、近い位置にあるほど候補度が高いものとして情報を提供することが可能となる。また、ホーム付近の利用者には発車３分前に通知をし、遠ければ１０分前といった通知をすることが可能となる。本発明の目的は、利用者の位置を取得し、位置に応じた情報を提供することにより、利用価値の高い情報配信方法を提供することである。
【０００５】
【課題を解決するための手段】
上記課題を解決するために、本発明は、駅構内をメッシュ分割し、各メッシュに対してＩＤ（以下、位置ＩＤとする）の振り分けを行い、情報端末、店舗、ホームの位置を上記ＩＤにより管理しているデータを格納したＤＢと、各ＩＤ間での移動時間を格納したＤＢを参照することで、利用者の使用している情報端末の位置ＩＤより利用者の現在位置を取得し、利用者の望む検索範囲（例えばここから５分で到達できる範囲）を情報端末の入力装置を用いて入力させ、利用者の位置ＩＤと任意の位置ＩＤ間の移動時間を参照しながら要求に合う駅内における領域を取得し、左記領域内において店舗の検索を実行することで、利用者の要求に対し、位置に応じた情報配信を行う。
【０００６】
また、本発明においては利用者の持つ乗車券情報を情報端末の乗車券読取装置を用いて取得することで、乗車までの時間、乗車する路線、座席位置についての情報をもとに、座席に最も簡単に座ることが可能なホームにおける位置ＩＤを取得し、左記ＩＤと情報端末にアクセスしている利用者の位置、つまり、情報端末の位置ＩＤより、現在位置から乗車のためのポイントへの移動に要する時間を取得し、乗車までの待合時間のうち、左記移動時間を差分した時間（猶予時間と呼ぶ）をもとに、「あと何分後（猶予時間を意味する）にはホームへ向かってください」という形式の発車時刻案内を情報端末を用いて利用者に行う。また、上記２点の情報配信を組み合わせ、現在位置、検索範囲要求により検索された店舗に対し、現在位置から店舗までの移動時間を取得し、さらに乗車券情報により乗車口を取得し、店舗から乗車口までの移動時間を取得し、左記２つの移動時間を待合時間から差し引いた猶予時間を求め、店舗について、店舗までの移動時間、猶予時間、店舗からホームへの移動時間の情報配信を情報端末を用いて行う。
【０００７】
【発明の実施の形態】
以下では、駅構内におけるユーザー位置対応の情報配信サービスシステムの実施例について図１から図１２を用いて詳細に説明する。図１に本発明の実施例の構成図を示す。図１において、情報端末０１１０は駅構内に配置される。配置場所としては、改札前、券売機付近や駅入り口付近等の駅利用者が多く集まる場所を想定している。情報端末０１１０は駅構内ローカルネットワーク０１２０を介し中央装置０１３００と接続している。情報端末０１１０はユーザーの持つＩＣカード乗車券より情報を取得する乗車券読取装置０１１１、ユーザーからの入力を受け付ける情報入力装置０１１２、ユーザーへの出力を与える情報提示装置０１１３、アクセスの行われている時刻を取得する時間管理装置０１１４を持つ。
【０００８】
乗車券読取装置０１１１はＩＣカードのカードリーダー機能を備えたものを想定している。また、ＩＣカード乗車券をもたない利用者のために手入力により乗車列車を指定するための入力装置となるものを備えてもよい。
【０００９】
情報入力装置０１１２はタッチパネルを想定しているが、キーボードやマウスを用いてもよいし、それらを組み合わせて用いても、またどれか１つでもよい。
【００１０】
情報提示装置０１１３はグラフィックディスプレイを想定しているが、ほかの出力装置を用いてもよいし、それらを組み合わせて用いても、またどれか１つでもよい。
【００１１】
時間管理装置０１１４は時計として現在時刻を測定できるものであればよい。中央装置０１３００は配信サーバ処理部０１３１０、ＤＢ格納部０１３２０を持つ。配信処理部０１３１０は、情報配信の対象となる駅構内の空間的範囲を決定する検索範囲取得手段０１３１１、情報配信の対象となる店舗を決定する店舗情報取得手段０１３１２を有する。
【００１２】
ＤＢ格納部０１３２０には情報端末の配置データを格納している端末ＤＢ  ０１３２１、駅構内をメッシュ化し、各メッシュに振り分けたＩＤ及びＩＤ間での移動時間に関する情報を格納している構内位置ＤＢ  ０１３２２、路線情報を格納している路線ＤＢ  ０１３２３、駅構内の店舗に関する情報を格納している店舗ＤＢ  ０１３２４、店舗の詳細情報や駅構内地図情報を格納している店舗詳細ＤＢ  ０１３２５をもつ。
【００１３】
図２に本実施における処理過程を示す。まず、ステップ０２０２において、情報端末０１１０は乗車券読取装置０１１１を用いて利用者の持つ乗車券より乗車券データを読み取る。読み取りはＩＣカード乗車券を乗車券読取装置０１１１に備えられたカードリーダーによって行う。
【００１４】
乗車券データのデータ構造は図３に示すように、左から列車名０３００、路線番号０３０１、発車時刻０３０２、自由席（Ｙ  ｏｒ  Ｎ）０３０３、指定席（Ｙ  ｏｒ  Ｎ）０３０４、座席位置０３０５となる。図３に表示されるデータは路線番号１の路線の１４時５０分発の列車に乗車予定、座席は指定席、座席番号は５Ｄであることを示している。ステップ０２０３において時間管理装置０１１４を用いて現在時刻の取得を行う。ステップ０２０４においてステップ０２０２において取得した乗車券データ内の発車時刻０３０２とステップ０２０３にて取得した現在時刻より、乗車列車の待ち時間を算出する。ステップ０２０５において利用者の店舗探索範囲要求を入力するための画面提示を情報提示装置０１１３を用いて行う。
【００１５】
ここで入力画面、図４について説明する。入力画面にはステップ０２０４より取得した乗車列車の待ち時間０４０１、ステップ０２０２より取得した発車時刻０４０２、ステップ０２０３により取得した現在時刻０４０４、ユーザー入力値提示画面０４０３、端末ＩＤ０４０５、送信ボタン０４０６が描画される。ユーザーは情報入力装置０１１２を用いて端末を操作し、情報配信条件を入力する。図４では１４時２０分に、端末Ａを用いて発車時刻が１４時５０分の乗車券を読み込ませ、待合時間３０分における情報検索の要求についての例を表している。送信ボタン０４０６を押すと、要求を決定したことを意味し、入力画面終了となる。ユーザー入力０２０６は現在位置から探索対象となる店舗までの到達時間の上限を入力する。図４では５分の入力がなされているので、５分以内で辿り着くことが可能な領域を店舗探索範囲として要求していることを示している。
【００１６】
図２に戻り、処理過程の説明を続ける。ユーザーが入力を決定した後、０２０７において入力内容（到達時間の上限）、乗車券情報、端末ＩＤ、現在時刻、乗車列車の待ち時間が駅構内ネットワーク０１２０を介して中央装置０１３００へと送信される。
【００１７】
中央装置０１３００では送信された情報をもとに、店舗検索範囲を決定する。決定はステップ０２１０検索範囲取得方法によりおこなう。この方法は端末ＤＢ  ０１３２１、構内位置ＤＢ  ０１３２２、路線ＤＢ  ０１３２３を参照する。
【００１８】
図６に構内位置ＤＢ  ０１３２２のデータ構造、図７に端末ＤＢ  １３２２１のデータ構造、図９に路線ＤＢ  ０１３２３のデータ構造を示す。構内位置ＤＢ  ０１３２２は図５のように駅構内を改札内、改札外にかかわらず網羅するようにメッシュ化し、各メッシュに対しＩＤの振り分けを行い（以後振り分けられたＩＤを位置ＩＤと呼ぶ）、各位置ＩＤ間を移動するのに要する時間を示したものである。データ構造は２次元配列となっている。例えば位置ＩＤがＡ０の地点から位置ＩＤＢ０の地点への所要時間を得るのであれば（Ａ０、Ｂ０）となるセル、もしくは（Ｂ０、Ａ０）となるセルを参照すればよい。この場合の移動時間は１４分と読み取ることができる。端末ＤＢ０１３２１は各端末の配置されている場所がどの位置ＩＤに当たるのかを示したものである。０７１０が端末ＩＤ、０７２０が位置ＩＤを示している。この図では端末Ａは位置Ａ１に、端末Ｂは位置Ｄ３に配置されていることを示す。路線ＤＢ  ０１３２３は路線番号０９１０と該当路線が使用するホームにおける基準となる位置、例えばＸ両目乗車口等の位置ＩＤ０９２０を格納している。そして、基準位置ＩＤを参照することで、構内位置ＤＢ０１３２２より、各車両における乗降口の位置ＩＤを取得することができる。
【００１９】
検索範囲取得方法０２０９の概要について図８を用いて説明する。まず、ステップ０８０１において、情報端末０１１０より送信された端末ＩＤ、乗車券情報、入力内容（到達時間上限）、ステップ０２０４において算出された乗車列車の待ち時間を取得する。ステップ０８０２において端末ＤＢ０１３２１にアクセスし、ステップ０８０３にて取得した端末ＩＤの位置を示す位置ＩＤを取得する。ステップ０８０４において構内位置ＤＢ  ０１３２２へアクセスし、端末ＩＤとその他のすべての位置ＩＤとの所要時間を取得する。ステップ０８０５において任意の位置ＩＤを選択し、ステップ０８０６において端末ＩＤとの所要時間を参照する。ステップ０８０７において取得した所要時間が入力内容に適合するか、つまり所要時間が到達時間上限内であるのかの判定を行い、到達時間上限内であれば、ステップ０８０８へと進み、上限外であればステップ０８０５へと戻り、未選択のＩＤを選択し同様の処理を行う。また、乗車列車の待ち時間より所要時間を引いた時間を猶予時間として記録する。ステップ０８０８において路線ＤＢ  ０１３２３  へとアクセスする。ステップ０８０９では路線ＤＢ  ０１３２３を参照し、ステップ０８１０において乗車券情報に含まれる列車名０３００、路線番号０３０１、自由席（Ｙ  ｏｒ  Ｎ）０３０３、指定席（Ｙ  ｏｒ  Ｎ）０３０４、座席番号０３０５より、ユーザーが乗車に適したホームの場所を選択し、その場所における位置ＩＤを取得する。例えば、自由席であるなら、自由席車両の乗降口の位置ＩＤを、指定席であれば、座席の配置された車両の乗降口の位置ＩＤを取得する。ステップ０８１１において、ステップ０８０５において選択された位置ＩＤと、乗降口の位置ＩＤとの所要時間を参照し、所要時間が猶予時間内であるかを判定する。猶予時間内であればステップ０８１２へと進み、位置ＩＤ、猶予時間から位置ＩＤと乗降口の位置ＩＤとの所要時間を引いた時間（以下、有効時間とする）、現在位置から位置ＩＤまでの所要時間、位置ＩＤから乗降の位置ＩＤまでの所要時間を記録する。なおここで記録された位置ＩＤが検索範囲の位置を示す位置ＩＤ（以下、検索範囲位置ＩＤとする）となる。時間外であればステップ０８０５へと戻り、未選択のＩＤを選択し同様の処理を行う。ステップ０８１３においてすべての位置ＩＤに対し、同様の処理が行われたかを判別し、処理が完了していたらプロセス終了となる。もし選択されていない位置ＩＤが存在すればステップ０８０５へと戻る。
【００２０】
再び図２処理過程の説明に戻る。検索範囲取得方法０２０９により検索範囲の決定後、配信対象店舗の決定をおこなう。決定は店舗情報取得方法０２１０によりおこなう。この方法では店舗ＤＢ  ０１３２４を参照する。
【００２１】
店舗情報取得方法０２１０の概要について図１１を用いて説明する。まず、ステップ１１０１において検索範囲取得方法０２０９によって決定し、ステップ０８１２において記録した検索範囲位置ＩＤ、有効時間、ステップ０２０３において取得したアクセス時間を取得する。ステップ１１０２において店舗ＤＢ  ０１３２４へのアクセスを行ない、ステップ１１０３において店舗ＤＢ  ０１３２４より任意に１レコードを選択し、そのレコード情報を取得する。図１０に店舗ＤＢ  ０１３２４のデータ構造を示す。１レコードが１つの店舗情報に対応しており、項目は、左から店名１００１、位置ＩＤ  １００２、営業時間１００３、業種１００４を表している。図１０  の１レコード目１００５の店舗情報は、店名がＡ、位置ＩＤがａ２、営業時間が１０時から１９時、業種がドラッグストアである。ステップ１１０４において取得したレコードの位置ＩＤが検索範囲位置ＩＤに含まれるかを判別する。含まれている場合にはステップ１１０５へと処理を進め、含まれていない場合にはステップ１１０３へと戻る。ステップ１１０５においてレコードの営業時間１００３にアクセス時刻が含まれるかを判別する。含まれている場合にはステップ１１０６へと処理を進め、含まれていない場合にはステップ１１０３へと戻る。ステップ１１０６において有効時間が店舗滞在時間内であるかを判定する。店舗滞在時間は最低限、店舗に滞在する時間であり、この時間はユーザー入力において決定する手法でも、あらかじめシステム側で準備しておく手法でもよい。１１０７においてレコード情報を記録する。ステップ１１０８において店舗ＤＢ０１３２４のすべてのレコードに対して処理がなされたかを判別し、未処理のレコードが存在する場合はステップ１１０３へと戻り、すべてのレコードが選択されるようにする。
【００２２】
図２に戻り処理過程の説明を行う。店舗情報を取得した後、配信情報の作成を行う。配信情報項目は店舗情報の「店名」１００１、「業種」１００４データ、店舗詳細ＤＢ  ０１３２５を参照して得られる対象店舗の「詳細、地図データ」、現在地から店舗までの所要時間、店舗からホームまでの所要時間、店舗への「有効時間」である。１レコードに１配信情報、つまり１店舗分の情報を格納する。
【００２３】
以上の３つの処理（検索範囲取得、店舗情報取得、配信情報作成）を中央装置０１３００で行った後、作成した配信情報を情報端末０１１０へと伝送し、情報端末０１１０においては情報提示装置０１１３を用いて利用者へと提示する。
【００２４】
情報提示画面の例を図１２に示す。図１２の表示画面には乗車列車の待ち時間１２１０、乗車時刻１２２０、そして現在時刻１２３０、詳細情報表示ボタン１２４６が描画される。配信内容は店名１２４１、現在地から店舗への移動時間１２４２、業種１２４３、店舗への滞在時間１２４４、店舗からホーム乗車位置への時間１２４５を表示する。ユーザーは詳細情報表示ボタン１２４６を押すことで、店舗ＤＢ（詳細、地図）０１３２５を参照することで店舗それぞれの詳細情報、構内地図を得ることができる。複数の店舗の情報を表示する際、優先度順に並び替えることもできる。例えば移動時間が短いものほど上位にすることは可能とする。
【００２５】
【発明の効果】
本発明によれば、駅構内において、駅案内や発車案内などのサービスを提供するにあたり、駅構内をメッシュ分割し、位置ごとにＩＤを振り、構内の位置情報を管理することで、利用者の位置、検索対象となる店舗、乗車口の位置に応じた情報を利用者に応じて提供することができる。
【図面の簡単な説明】
【図１】位置対応の情報配信サービスシステムの実施例の全体構成図。
【図２】処理の流れを示す図。
【図３】乗車券情報のデータ構造を示す図。
【図４】図１の情報提示装置の初期画面を示す図。
【図５】図１の構内位置ＤＢにおけるＩＤ振り分けを説明する図。
【図６】図１の構内位置ＤＢのデータ構造を表す図。
【図７】図１の端末ＤＢのデータ構造を表す図。
【図８】図１の検索範囲取得手段の処理フローを表す図。
【図９】図１の路線ＤＢのデータ構造を表す図。
【図１０】図１の店舗情報ＤＢのデータ構造を表す図。
【図１１】図１の店舗情報取得手段の処理フローを表す図。
【図１２】図１の情報提示装置による情報出力画面を示す図。
【符号の説明】
０１１０…情報端末、０１１１…乗車券読取装置、０１１２…情報入力装置、０１１３…情報提示装置、０１１４…時間管理装置、０１２０…ネットワーク、０１３００…中央装置、０１３２１…端末ＤＢ、０１３２２…構内位置ＤＢ、０１３２３…路線ＤＢ、０１３２４…店舗ＤＢ、０１３２５…店舗（詳細）ＤＢ。
【図１】
2004246748.tif 000003
【図２】
2004246748.tif 000004
【図３】
2004246748.tif 000005
【図４】
2004246748.tif 000006
【図５】
2004246748.tif 000007
【図６】
2004246748.tif 000008
【図７】
2004246748.tif 000009
【図８】
2004246748.tif 000010
【図９】
2004246748.tif 000011
【図１０】
2004246748.tif 000012
【図１１】
2004246748.tif 000013
【図１２】
2004246748.tif 000014